(57)【要約】      （修正有）【課題】外部からの電力供給が絶たれた場合にもＬＥＤを点灯させることが可能な照明装置を提供する。【解決手段】例えば商用電源等からの電力が供給される接続部８と、接続部８から供給された電力を変換する変換回路と、筒状のケース２と、ケースを径方向で分割する支持体３と、支持体３の一面に設けられた複数の発光ダイオード５と、発光ダイオード５を駆動する駆動回路と、支持体３の他の面に設けられた二次電池７ａと、二次電池７ａの充放電制御回路と、供給された電力によって発光ダイオード５を点灯させ、二次電池７ａを充電し、電力供給が停止した状態で、二次電池７ａの放電による発光ダイオード５の点灯を可能とする制御部とを備える。【選択図】図１
2013101785.tif 000002
【特許請求の範囲】
【請求項１】
電力が供給される接続部と、
上記接続部から供給された電力を変換する変換回路と、
筒状のケースと、
上記ケースを径方向で分割する支持体と、
上記支持体の一面に設けられた複数の発光ダイオードと、
上記発光ダイオードを駆動する駆動回路と、
上記支持体の他の面に設けられた二次電池と、
上記二次電池の充放電制御回路と、
供給された電力によって上記発光ダイオードを点灯させ、上記二次電池を充電し、電力供給が停止した状態で、上記二次電池の放電による該発光ダイオードの点灯を可能とする制御部と
を備える照明装置。
【請求項２】
上記支持体の他の面と対向する上記ケースの一部に開口が設けられる
請求項１に記載の照明装置。
【請求項３】
上記支持体が、上記ケースの内壁面に突出して設けられたリブによって固定される
請求項１に記載の照明装置。
【請求項４】
上記ケースが樹脂材料からなる
請求項１に記載の照明装置。
【請求項５】
上記ケースの内壁面と、上記二次電池の外周面とが接触するように配置される
請求項１に記載の照明装置。
【請求項６】
円筒形状を有する上記ケースの内壁面と、円筒形電池からなる上記二次電池の外周面とが接触する
請求項５に記載の照明装置。
【請求項７】
上記支持体が、
板状の主面部と、
上記主面部の長手方向に沿って該主面部と略垂直にそれぞれ設けられた側面部と
を備え、
上記側面部が上記ケースの内壁面と接触する
請求項１に記載の照明装置。
【請求項８】
上記支持体が金属材料からなる
請求項１に記載の照明装置。
【請求項９】
上記支持体と上記発光ダイオードとの間に拡散体を備える
請求項１の照明装置。
【請求項１０】
上記制御部がタイマー回路を備え、電力供給が停止した場合における上記二次電池からの上記発光ダイオードに対する放電を、予め設定した一定時間後に停止させる
請求項１に記載の照明装置。
【請求項１１】
上記制御部と通信可能な音声センサを有し、
上記制御部が、
上記音声センサが所定の音声を認識した場合に、認識した該所定の音声に応じて、上記発光ダイオードを点灯または消灯させる
請求項１に記載の照明装置。
【請求項１２】
上記制御部と通信可能なモーションセンサを有し、
上記制御部が、
上記モーションセンサが人の動きを検知している場合に、上記発光ダイオードを点灯状態とする
請求項１に記載の照明装置。
【請求項１３】
上記制御部と通信可能なリモコン受光部を有し、
上記制御部が、
上記リモコン受光部が受信した制御信号に応じて、上記発光ダイオードを点灯または消灯させる
請求項１に記載の照明装置。
【発明の詳細な説明】
【技術分野】
【０００１】
本開示は、光源として発光ダイオードを備える照明装置に関する。
【背景技術】
【０００２】
住宅やビルの室内の照明に用いられる照明装置として、従来、白熱電球や蛍光灯等を光源として備える照明が用いられてきた。白熱電球は、電力消費が大きく、また寿命が短いという問題を備えている。また、蛍光灯は、水銀を含むガスが封入されていること等から、環境に悪影響を及ぼす可能性があるという問題点がある。
【０００３】
これに対して、近年、下記の特許文献１に示すような発光ダイオード（Light Emitting Diode；以下、ＬＥＤと適宜称する）を光源として用いた小型、低消費電力、長寿命等の特性を有する照明装置が用いられている。
【先行技術文献】
【特許文献】
【０００４】
【特許文献１】特開２００８−３００２０３号公報
【発明の概要】
【発明が解決しようとする課題】
【０００５】
上述の様な照明装置は、停電等により商用電源からの電力供給が絶たれた場合には、消灯してしまう。このため、例えば停電が地震等の天災を伴うものであった場合には、居住者は照明装置が消灯した状況下で避難を行う必要があり、安全性の確保が困難である。また、従来の蛍光灯はガラス管内に各部品が収容されており、地震等の場合には蛍光灯が割れてしまい、居住者が怪我をしたり、避難経路に割れたガラスが散乱するおそれもある。      
【０００６】
そこで、本開示では上記問題点に鑑み、例えば商用電源用の外部からの電力供給が絶たれた場合にもＬＥＤを点灯させることが可能な照明装置を提供することを目的とする。
【課題を解決するための手段】
【０００７】
上述した課題を解決するために、本開示の照明装置は、電力が供給される接続部と、
接続部から供給された電力を変換する変換回路と、
筒状のケースと、
ケースを径方向で分割する支持体と、
支持体の一面に設けられた複数の発光ダイオードと、
発光ダイオードを駆動する駆動回路と、
支持体の他の面に設けられた二次電池と、
二次電池の充放電制御回路と、
供給された電力によって発光ダイオードを点灯させ、二次電池を充電し、電力供給が停止した状態で、二次電池の放電による発光ダイオードの点灯を可能とする制御部とを備えることを特徴とする。
【０００８】
本開示では、照明装置内に二次電池を備えることにより、商用電源からの電力供給が絶たれた場合にもＬＥＤを点灯させることができる。
【０００９】
本開示の照明装置は、支持体の他の面と対向するケースの一部に開口が設けられることが好ましい。開口が放熱口となって、ケース内の熱を放熱することができるためである。      
【００１０】
本開示の照明装置は、支持体が、ケースの内壁面に突出して設けられたリブによって固定されることが好ましい。ケース内における支持体の振動や支持体が円周方向に回転することを防止することができるためである。
【００１１】
本開示の照明装置は、ケースの内壁面と、二次電池の外周面とが接触するように配置されることが好ましい。二次電池が支持体とケースとをつないで支える役割を果たし、照明装置の輸送時等において、ケース内で支持体が固定されるためである。
【００１２】
本開示の照明装置は、支持体が金属材料からなることが好ましい。支持体の強度を向上させるとともに、支持体を放熱体として用いることができるためである。
【００１３】
本開示の照明装置は、支持体と発光ダイオードとの間に拡散体を備えることが好ましい。発光ダイオードの光をより拡散させることができるためである。
【００１４】
本開示の照明装置は、センサを備えることが好ましい。電力供給停止後も二次電池による発光ダイオードの点灯または消灯を制御することができるためである。
【発明の効果】
【００１５】
本開示によれば、停電時においてもＬＥＤを点灯させることができる。また、地震発生時等に、例えば天井から照明装置が落下した場合においても、ＬＥＤを点灯させることができる。
【図面の簡単な説明】
【００１６】
【図１】第１の実施の形態における照明装置の一構成例を示す分解図、断面図および斜視図である。
【図２】第１の実施の形態における照明装置のケースの他の構成例を示す上面図、斜視図および断面図である。
【図３】第１の実施の形態における照明装置のケースの他の構成例を示す断面図および拡大図である。
【図４】第１の実施の形態における照明装置の支持体の他の構成例を示す断面図である。
【図５】第１の実施の形態における照明装置に拡散体を用いた場合の構成例を示す斜視図である。
【図６】第１の実施の形態における照明装置に拡散体を用いた場合の構成例を示す断面図である。
【図７】第１の実施の形態における照明装置の通常動作時における回路構成の一例を示すブロック図である。
【図８】第１の実施の形態における照明装置の商用電源供給停止時における回路構成の一例を示すブロック図である。
【図９】第１の実施の形態における照明装置の商用電源供給停止時における回路構成の他の例を示すブロック図である。
【図１０】第１の実施の形態における照明装置の第１の動作フローを示すフローチャートである。
【図１１】第１の実施の形態における照明装置の第２の動作フローを示すフローチャートである。
【図１２】第２の実施の形態における照明装置の一構成例を示す分解図である。
【図１３】第２の実施の形態における照明装置の回路構成の一例を示すブロック図である。
【図１４】第２の実施の形態における照明装置の第１の動作フローを示すフローチャートである。
【図１５】第２の実施の形態における照明装置の第２の動作フローを示すフローチャートである。
【図１６】第２の実施の形態における照明装置の第３の動作フローを示すフローチャートである。
【発明を実施するための形態】
【００１７】
以下、本開示の実施の形態について図面を参照して説明する。
１．第１の実施の形態（二次電池を備えた照明装置の例）
２．第２の実施の形態（二次電池とともに、センサを備えた照明装置の例）
【００１８】
１．第１の実施の形態
（１−１）照明装置の構成
図１Ａは、第１の実施の形態にかかる照明装置１の一構成例を示す分解図であり、図１Ｂは、図１ＡのＩ−Ｉ線に沿った照明装置１の横断面図であり、図１Ｃは、照明装置１に備えられる発光源としてのＬＥＤ５の取付けの一構成例を示す斜視図である。
【００１９】
本開示における照明装置１は、二次電池を内蔵するＬＥＤ照明装置である。図１Ａは、本開示の照明装置１の一例である直管形ＬＥＤ照明装置である。この照明装置１は、従来用いられてきた直管形蛍光灯に代えて使用可能なものであり、天井等に設置された接続部分に接続可能に構成されている。第１の実施の形態では、照明装置１が商用電源から電力を供給されるものとして説明する。
【００２０】
また、本開示の照明装置１は、内部に二次電池７ａを備え、地震等の緊急時に商用電源からの電力供給が絶たれた場合であっても、二次電池７ａによって一定時間ＬＥＤ５が点灯するように構成したものである。これにより、停電時であっても避難経路を示し、避難時の安全確保を可能にする。なお、図１Ａでは、３本の二次電池７ａが直列に接続された組電池７が組み込まれた構成を示している。
【００２１】
照明装置１は、ケース２によって外装され、その内部には、支持体３と、ＬＥＤ基板４と、複数のＬＥＤ５と、回路基板６と、複数の二次電池７ａを備える組電池７とが収容される。また、照明装置１には、商用電源と電気的に接続するための接続部８と、接続部８とともに天井等に設けられた接続装置に嵌合されることにより、照明装置１を接続装置に固定する支持部９とを備えている。なお、支持部９は接続装置との嵌合のために設けられたものであり、電力供給のための接続部ではない。
【００２２】
照明装置１は、ケース２の中空空間を径方向で分割する支持体３を備え、支持体３の一方の面に、複数のＬＥＤ５が接続されたＬＥＤ基板４が設けられている。照明装置１が天井に接続される場合には、照明装置１は、ＬＥＤ５が設けられた面が下方向となるように天井の接続装置に接続される。ＬＥＤ基板４には、ＬＥＤ５が電気的に接続されるとともに、例えばＬＥＤ５を駆動する駆動回路や、ＬＥＤ５を安定的に発光させる定電流回路が設けられている。
【００２３】
また、支持体３の他方の面には、組電池７と、回路基板６とが設けられている。回路基板６は、例えば、組電池７を構成する各二次電池７ａの充放電制御を行う充放電制御回路や、供給された電力を適切に変換する変換回路、供給電力および組電池７のいずれを用いてＬＥＤ５を点灯させるかによって接続を切替えるスイッチ等を備えている。
【００２４】
以下、照明装置１を構成する各部分について詳細に説明する。
【００２５】
ケース２は、円筒、角筒等の筒状ケースが用いられる。また、ケース２は、直管形、環形またはＵ字形等の各形状とすることができる。図１Ａおよび図１Ｂに示す照明装置１は、天井に設置する照明装置１の例として、円筒形状かつ直管形のケース２を用いた例を示す。
【００２６】
また、ケース２は、従来の蛍光灯のガラス管に変えて樹脂ケースを用いる。ガラス管は、割れやすいことから地震等の災害時に怪我の要因となったり、割れたガラスによって避難経路が塞がれ、避難を困難にするおそれがある。また、ガラス管は、組電池７の重量によるたわみが生じたり、耐熱性が高いものの放熱がしにくくなるという問題がある。
【００２７】
ケース２に用いる樹脂材料としては、組電池７の重量によるたわみを防止するために一定の強度を有し、また、ＬＥＤ５の発光および各二次電池７ａの充放電に伴うケース２内の温度上昇に耐えうる材料を用いることができる。具体的には、ポリメタクリル酸メチル樹脂（ＰＭＭＡ）等のアクリル樹脂、シクロオレフィン樹脂（ＣＯＰ）またはシクロオレフィンを含む共重合体（ＣＯＣ）、メチルメタクリレートスチレン（ＭＳ）樹脂、ポリカーボネート（ＰＣ）等のポリオレフィン樹脂等を用いることができる。
【００２８】
ケース２の内側面には、ＬＥＤ５の光が直接照射されないように例えば乳白色の塗料を塗布する。この場合、ケース２の製造時に、ケース２を構成する樹脂材料に塗料を混合して乳白色等のケース２としてもよい。これにより、ＬＥＤ５の光が拡散されて室内用の照明として適切な明るさとなる。塗料の塗布量または樹脂材料に対する塗料の混合量は、所望する明るさ等に応じて調整することが好ましい。
【００２９】
また、ＬＥＤ５として青色または紫外線を発する発光ダイオードを用い、ケース２の内側面に塗料として蛍光塗料を塗布するようにしてもよい。これにより、ケース２を通過した光を白色や電球色等の色とすることができる。
【００３０】
なお、図２Ａ〜図２Ｃに示すように、ケース２には、放熱を行うための一または複数の開口２ａを設けることが好ましい。図２Ａはケース２の上面図であり、図２Ｂはケース２の斜視図であり、図２Ｃは開口２ａを設けたケース２を用いた照明装置１の断面図である。
【００３１】
ケース２が密閉されていると、ＬＥＤ５の発熱によってケース２内が高温となる。一般的に、ＬＥＤ５は熱に弱く、高温環境下では素子が劣化しやすくなる。特に、本開示の照明装置１は、ケース２内に、複数のＬＥＤ５とともに、複数の二次電池７ａを接続した組電池７を備えている。このため、ＬＥＤ５の発熱のみでなく、二次電池７ａの発熱によってケース２内が高温環境下に晒されやすくなる。また、回路基板６等からも発熱が生じる。このため、放熱口としての開口２ａを設けることにより、ＬＥＤ５および二次電池７ａの劣化を防止することができるため好ましい。
【００３２】
開口２ａの形状は任意の形状とすることができるが、空気中のゴミが照明装置１内に入り込むことを抑制するために、例えば図２Ａ〜図２Ｃに示すようなスリット状とすることが好ましい。図２Ａ〜図２Ｃでは、照明装置１の長手方向に平行な方向に３本並んで伸びるスリット状の開口２ａが、照明装置１の長手方向に断続的に形成された例を示す。このような開口２ａを設けることにより、照明装置１としての照明機能を低下させることなく放熱効果を高めることができる。
【００３３】
開口２ａは、図２Ｃに示すように、二次電池７ａ近傍のケース２の一部に設けられることが好ましい。照明装置１が天井等に取り付けられた場合、ＬＥＤ５が接続された面と反対の面に設けられた二次電池７ａ側面は天井側となる。ケース２の一部に開口２ａを設けると、ＬＥＤ５が発光した光の一部がケース２を介さずに直接照射されるが、開口２ａを二次電池７ａ側に設けることにより、このような問題を防止することができ、またユーザから開口２ａが見えないようにすることができる。
【００３４】
照明装置１を天井に取り付ける際にはＬＥＤ５側を下側向き、二次電池７ａ側を天井側向きとして取り付けることになる。これにより、熱が上方、すなわち天井側から抜けやすくなるという点でも、開口２ａを二次電池７ａ側に設けることが好ましい。
【００３５】
また、図３Ａおよび図３Ｂに示すように、ケース２の内壁に、支持体３を固定するためのリブ２ｂを設けてもよい。図３Ａは、リブ２ｂを設けたケース２を用いた照明装置１の断面図であり、図３Ｂは、図３Ａのリブ２ｂを拡大して示すものである。
【００３６】
支持体３は、ケース２を径方向で分割するように設けられ、例えば板状を有している。支持体３は、一方の面にＬＥＤ５を接続したＬＥＤ基板４が設けられ、他方の面に回路基板６および組電池７等が設けられており、各部品を支えるために、一定の強度を有していることが好ましい。このため、支持体３としては、金属材料や樹脂材料等を用いることができる。なお、ＬＥＤ基板４および回路基板６の位置はこの限りではない。
【００３７】
特に、支持体３を金属材料で構成することが好ましい。ＬＥＤ５および組電池７、ならびにそれらを駆動・制御する回路を備えるＬＥＤ基板４および回路基板６の各部で発生する熱を、支持体３を経由してケース２に伝え、照明装置１外に放熱する放熱板として機能することができるためである。また、強度の観点からも好ましい。支持体３を構成する金属材料としては、強度が高く、軽量であることが好ましい。具体的には、アルミニウム（Ａｌ）、チタン（Ｔｉ）もしくはこれらの合金、またはステンレス（ＳＵＳ）等を用いることが好ましい。
【００３８】
また、図４Ａに示すように、支持体３が、板状の主面部３ａと、主面部３ａの長手方向に沿って主面部３ａと略垂直にそれぞれ設けられた側面部３ｂとを備え、断面が略Ｈ字状の形状を有するものとしてもよい。これにより、支持体３の側面部３ｂがケース２の内壁面と接触する。支持体３をこのような形状とすることにより、支持体３がケース２によってしっかりと支えられるとともに、支持体３とケース２との接触面積が大きくなり、放熱性が向上するため好ましい。
【００３９】
このような形状を有する支持体３が、ケース２の内壁から突出するように設けたリブ２ｂによって固定される場合には、照明装置１の断面は図３Ｂに示すようになる。
【００４０】
なお、図１Ｂに図示したように、支持体３上には複数のＬＥＤ５を接続したＬＥＤ基板４が設けられている。この構成の変形例として、図５に示すように、支持体３上に拡散体１０を設けてもよい。拡散体１０は、支持体３とＬＥＤ基板４との間に設けられ、ＬＥＤ５の光をより拡散させるためのものである。拡散体１０は、例えば、支持体３と接触する底面部１０ａと、底面部１０ａの両端から徐々に広がって延出された側面部１０ｂとから構成される。すなわち、拡散体１０は、一例として、その断面が、底辺が解放された台形状となるように構成される。
【００４１】
なお、拡散体１０としての機能を持たせるために、少なくとも拡散体１０のＬＥＤ基板４側面が反射層とされる。反射層は、例えばミラー等の反射部材で構成したり、反射塗料が塗布された反射層が設けられることにより形成される。反射塗料は、例えば、反射率の高い顔料等を混合した塗料である。また、ＬＥＤ５として青色または紫外線を発する発光ダイオードを用いる場合には、蛍光塗料を塗布して反射層としてもよい。
【００４２】
このような拡散体１０を用いる場合には、照明装置１の断面構成は、図６Ａ〜図６Ｄに示すようなものとなる。図６Ａは、板状の支持体３を用いた例であり、図６Ｂは、断面略Ｈ字状の形状を有する支持体３を用いた例であり、図６Ｃおよび図６Ｄは、図６Ａおよび図６Ｄにおいて、ケース２の内側にリブを設けて支持体３を固定した構成を示す。
【００４３】
ＬＥＤ５としては、例えば白色発光ダイオード、または青色発光ダイオードもしくは紫外線を発する発光ダイオード等を用いることができる。ＬＥＤ５は、照明装置１として所望の明るさを得るために必要な数量が接続される。複数のＬＥＤ５は、後に説明する定電流回路とともに直列に接続される。ＬＥＤ５は、照明装置１としての仕様（消費電力等）に応じて直列に接続する個数を選択し、それ以上の個数を接続する場合には、複数のＬＥＤ５と定電流回路からなる単位回路を並列に接続するようにする。
【００４４】
図７は、照明装置１の回路構成を示すブロック図である。照明装置１は、接続部８を天井等に設けられる接続装置の接続部３３と接続することにより、商用電源３１から交流電力が供給される。なお、照明装置１への交流電力は、照明装置１が設置された部屋の壁に設けられた壁スイッチ３２がＯＮされた際に照明装置１に供給される。ユーザは、日常生活において壁スイッチ３２をＯＮ／ＯＦＦすることにより照明装置１の点灯をＯＮ／ＯＦＦすることができる。
【００４５】
ＬＥＤ基板４は、一例として、ＬＥＤ５を駆動させるためのＬＥＤ駆動回路２１と、ＬＥＤ５に一定の電流を流すように制御する定電流回路２２とを有している。
【００４６】
ＬＥＤ駆動回路２１は、ＬＥＤ５に流れる駆動電流を制御する回路である。定電流回路２２は、ＬＥＤ５と直列に接続され、回路中を所定値以上の電流が流れた場合に、ＬＥＤ５に電流を流さないように制御する回路である。
【００４７】
組電池７は、複数の二次電池７ａが例えば直列に接続されて構成されている。なお、照明装置１の規模が小さい場合には、組電池７の代わりに１本の二次電池７ａを用いるようにしてもよい。また、直列に接続された複数の二次電池７ａを、さらに並列に接続した組電池７を用いてもよい。二次電池７としては、例えばリチウムイオン二次電池を用いることができる。
【００４８】
なお、二次電池７ａは、それぞれその外周面がケース２の内周面と接するように配置されることが好ましい。これにより、二次電池７ａが支持体３とケース２とをつないで支える役割を果たし、特に照明装置１の輸送時において、ケース２内で支持体３が固定されるため好ましい。
【００４９】
回路基板６は、一例として、ＡＣ／ＤＣコンバータ１１と、ＤＣ／ＤＣコンバータ１２と、スイッチ１３と、スイッチ１４と、組電池７の充放電制御回路１５と、制御部１６とを有している。
【００５０】
ＡＣ／ＤＣコンバータ１１は、商用電源から供給された交流電力を直流電力に変換する。ＤＣ／ＤＣコンバータ１２は、ＡＣ／ＤＣコンバータ１１から供給された直流電力の電圧を照明装置１に適した電圧に変換する。
【００５１】
充放電制御回路１５は、例えば充電制御ＦＥＴ（電界効果トランジスタ；Field Effect Transistor）、放電制御ＦＥＴ、電池電圧検出回路、電流検出用抵抗、電池温度検出用
抵抗、ヒューズ等と、これらを制御する制御部を備える。制御部は、制御部１６からの制御信号に応じて、充電制御ＦＥＴおよび放電制御ＦＥＴをＯＮ／ＯＦＦさせて、各二次電池７ａを充電もしくは放電させる。
【００５２】
また、充放電制御回路１５は各二次電池７ａを監視し、過充電状態もしくは過放電状態、過電流状態、または二次電池７ａの異常発熱等の異常状態となった場合には、充電制御ＦＥＴまたは放電制御ＦＥＴを制御して充電または放電を停止させる。また、検出した状態によっては、ヒューズを溶かして切断し、充放電を永久に停止させることもできる。
【００５３】
スイッチ１３およびスイッチ１４は、例えばＦＥＴからなる。照明装置１では、スイッチ１３およびスイッチ１４のＯＮ／ＯＦＦに応じて、電力供給経路が切替えられる。
【００５４】
照明装置１が商用電源３１から電力を供給されている通常動作時においては、後述する制御部１６からの制御信号に応じて、スイッチ１３およびスイッチ１４がＯＮされる。このとき、充放電制御回路１５は、制御部１６によって二次電池７ａを充電させるように制御される。これにより、ＤＣ／ＤＣコンバータ１２で適切に変換された直流電力が、スイッチ１３を介してＬＥＤ駆動回路２１に供給され、商用電源３１からの電力によってＬＥＤ５を点灯させる。ＤＣ／ＤＣコンバータ１２で適切に変換された直流電力が、スイッチ１３およびスイッチ１４を介して充放電制御回路１５に供給され、組電池７を構成する二次電池７ａそれぞれが充電される。
【００５５】
照明装置１が商用電源３１からの電力供給が停止されている場合においては、後述する制御部１６からの制御信号に応じて、図８に示すようにスイッチ１３がＯＦＦされ、スイッチ１４がＯＮされる。このとき、充放電制御回路１５は、制御部１６によって二次電池７ａを放電させるように制御される。これにより、組電池７からの放電電力がスイッチ１４を介してＬＥＤ駆動回路２１に供給され、ＬＥＤ５を点灯させる。
【００５６】
制御部１６は、商用電源３１からの電力供給の有無を判断する。制御部１６は、商用電源３１からの電力供給があると判断した場合には、スイッチ１３およびスイッチ１４に対して、スイッチＯＮとなるように制御信号を送信する。これにより、図７に示す回路構成となる。制御部１６が商用電源３１からの電力供給があると判断した場合には、制御部１６は、充放電制御回路１５に対して組電池７の充電を行うように制御信号を送信する。
【００５７】
一方、制御部１６は、商用電源３１からの電力供給がないと判断した場合には、スイッチ１３に対してスイッチＯＦＦとなるように制御信号を送信するとともに、スイッチ１４に対してスイッチＯＮとなるように制御信号を送信する。これにより、図８に示す回路構成となる。制御部１６が商用電源３１からの電力供給がないと判断した場合には、制御部１６は、充放電制御回路１５に対して組電池７の放電を行うように制御信号を送信する。      
【００５８】
なお、第１の実施の形態の照明装置１は、二次電池７ａの放電によってＬＥＤ５を点灯させた後に、ＬＥＤ５を消灯させる手段を設けない構成としている。このため、ＬＥＤ５は、二次電池７ａの電池容量（放電容量）が尽きた場合に消灯する。
【００５９】
また、商用電源３１からの電力供給が絶たれた後、制御部１６が二次電池７の電池残容量を監視し、所定の電池容量を下回った場合には、制御部１６の制御により放電を停止させるようにすることもできる。
【００６０】
また、商用電源３１からの電力供給が絶たれた後、一定時間の間のみ二次電池７ａの放電によってＬＥＤ５を点灯させるように制御することも可能である。この場合、制御部１６内にタイマー回路を設け、商用電源３１からの電力供給が絶たれたと判断してから一定時間が経過したか否かを判断する。タイマー回路は、例えば発信回路等を用い、クロック信号により一定時間を計測するように構成することができる。
【００６１】
制御部１６は、商用電源３１からの電力供給停止から一定時間が経過したと判断した場合には、スイッチ１３およびスイッチ１４に対して、スイッチＯＦＦとなるように制御信号を送信する。これにより、例えば図９に示す回路構成となり、放電が停止してＬＥＤ５が消灯する。
【００６２】
商用電源３１からの電力供給停止後に組電池７による放電を停止させる場合には、スイッチ１４をＯＦＦ制御することに代えて、充放電制御回路１５に対して組電池７の放電を停止するように制御信号を送信するようにしてもよい。
【００６３】
なお、充放電制御回路１５の充電制御ＦＥＴおよび放電制御ＦＥＴをスイッチ１４としてもよい。
【００６４】
以上の構成により、照明装置１は、商用電源３１から電力供給がある場合には商用電源３１からの電力でＬＥＤ５を点灯させ、商用電源３１から電力供給がない場合には組電池７を放電させてＬＥＤ５を点灯させることができる。
【００６５】
なお、上記の構成では、商用電源３１から電力が供給される例について説明しているが、家庭内発電装置や蓄電装置等から電力が供給される場合についても同様に適用することができる。家庭内発電装置としては、例えば太陽光発電もしくは風力発電、または車載用電池等を用いることができる。蓄電装置としては、例えば夜間の電力消費量減少時に充電を行った蓄電装置等を用いることができる。
【００６６】
（１−２）照明装置の動作フロー
上述の様な構成の照明装置１における動作フローを説明する。
【００６７】
（１−２−１）第１の動作フロー
第１の実施の形態の第１の動作フローとして、商用電源３１からの電力供給停止時に二次電池７ａによって、二次電池７ａの電池容量がなくなるまでＬＥＤ５を点灯させる動作フローについて説明する。
【００６８】
図１０に、第１の実施の形態における照明装置１の第１の動作フローを示す。まず、ステップＳ１において、商用電源から供給された電力によりＬＥＤ５が点灯している。次に、ステップＳ２において、制御部１６が、商用電源３１からの電力供給の有無を判断する。ステップＳ２において商用電源３１からの電力供給があると判断された場合には、ステップＳ２を繰り返す。ステップＳ２において商用電源３１からの電力供給がないと判断された場合には、処理がステップＳ３に移る。
【００６９】
ステップＳ３では、制御部１６がスイッチ１３を制御して組電池７からＬＥＤ５に対する電力供給を可能な回路構成に切替えるとともに、充放電制御回路１５を制御して組電池７からＬＥＤ５に対する電力供給を開始する。これにより、ステップＳ４のように、ＬＥＤ５の点灯が継続される。
【００７０】
この後、ステップＳ５において、組電池７の二次電池７ａの電池残容量がある場合には、ステップＳ４に戻りＬＥＤ５の点灯が継続される。ステップＳ５において、組電池７の二次電池７ａの電池残容量がなくなった場合には、ステップＳ６においてＬＥＤ５が消灯して処理が終了する。
【００７１】
なお、この動作フローにおいては、ステップＳ５およびステップＳ６については制御部１６の制御によるものではなく、電池残容量が尽きたことによってＬＥＤ５が自動的に消灯したものである。
【００７２】
（１−２−２）第２の動作フロー
第１の実施の形態の第２の動作フローとして、商用電源３１からの電力供給停止時に二次電池７ａによって、商用電源３１からの電力供給停止後一定時間ＬＥＤ５を点灯させる動作フローについて説明する。
【００７３】
図１１に、第１の実施の形態における照明装置１の第２の動作フローを示す。ステップＳ１１〜ステップＳ１３については、第１の動作フローにおけるステップＳ１〜ステップＳ３と同じであるため、説明を省略する。
【００７４】
次に、ステップＳ１４において、制御部１６のタイマー回路にて、カウントを開始する。この後、ステップＳ１５に移り、ＬＥＤ５の点灯が継続する。
【００７５】
続いて、ステップＳ１６において、制御部１６のタイマー回路におけるカウントに基づいて、一定時間が経過したか否かが判断される。ステップＳ１６において一定時間が経過していないと判断された場合には、処理がステップＳ１４に戻りＬＥＤ５の点灯が継続する。ステップＳ１６において一定時間が経過したと判断された場合には、処理がステップＳ１７に移り、ＬＥＤ５が消灯して処理が終了する。
【００７６】
以上のように、照明装置１は、商用電源からの電力供給が停止した場合であっても、商用電源３１からの電力供給停止後一定時間、ＬＥＤ５を点灯させることができる。
【００７７】
なお、ＬＥＤ５が消灯して処理が終了した後に商用電源３１からの電力供給が再開した場合には再度ＬＥＤ５が点灯する。制御部１６が商用電源３１からの電力供給があると判断し、スイッチ１３およびスイッチ１４に対して、スイッチＯＮとなるように制御信号を送信するためである。このとき、壁スイッチがＯＦＦとされている場合には、ＬＥＤ５は点灯しない。
【００７８】
＜効果＞
以上のように、第１の実施の形態の照明装置１では、商用電源３１からの電力供給が停止した場合に、自動的に二次電池７ａによってＬＥＤ５を点灯させることができる。これにより、例えば停電した時に、停電が継続している間もＬＥＤ５を点灯させて避難通路の確保等を行うことができる。
【００７９】
２．第２の実施の形態
第２の実施の形態における照明装置１は、照明装置１内にセンサを有する。これにより、商用電源３１からの電力供給停止後において、ユーザの操作等に応じてＬＥＤ５の点灯および消灯を制御できるようにしたものである。
【００８０】
第１の実施の形態における照明装置１では、商用電源３１からの電力供給停止後は、組電池７の電池残容量が尽きるか、もしくは予め設定した一定時間が経過しない場合には、ＬＥＤ５を消灯させることができなかった。ここで、制御部１６では、あくまでも商用電源３１からの電力が照明装置１に供給されているか否かを判断しているのみである。このため、例えば停電による電力供給停止と、照明装置１外に配設された壁スイッチ３２がユーザによってＯＦＦされることによる電力供給停止とを、照明装置１内では判断することができない。したがって、第１の実施の形態の照明装置１では、ユーザが就寝時等において自ら壁スイッチ３２をＯＦＦした場合についても、ＬＥＤ５がすぐに消灯せず、ＬＥＤ５の点灯が継続してしまう。
【００８１】
そこで、第２の実施の形態では、商用電源３１からの電力供給停止後においても、ユーザの操作によってＬＥＤ５の点灯および消灯を制御できるようにすることができるように、センサ１７を設けたものである。また、第２の実施の形態の照明装置１では、商用電源３１からの電力供給停止時に、ＬＥＤ５の点灯を自動的に継続するモードか、もしくは一旦ＬＥＤ５を消灯させるとともに、照明装置１を待機状態とし、ユーザの制御を待つモードかを選択できるようにしたものである。
【００８２】
（２−１）照明装置の構成
まず、第２の実施の形態の照明装置１の構成を説明する。
【００８３】
図１２は、第２の実施の形態にかかる照明装置１の一構成例を示す分解図であり、図１３は、第２の実施の形態にかかる照明装置１の回路構成を示すブロック図である。図１３は、第２の実施の形態にかかる照明装置１の通常動作時におけるブロック図である。
【００８４】
第２の実施の形態の照明装置１は、センサ１７を備えている。センサ１７は制御部１６と接続され、センサ１７が受信した制御信号等に応じて制御部１６が充放電制御回路１５の制御を行う。
【００８５】
なお、センサ１７と、制御部１６以外は、第１の実施の形態と同様であるため、説明を省略する。
【００８６】
センサ１７は、ＬＥＤ５を点灯または消灯させる制御信号を受信し、もしくはユーザの存在や音声を検出するものである。センサ１７での検出結果もしくは制御信号の受信結果に応じて、制御部１６がＬＥＤ５を点灯もしくは消灯させることを判断する。
【００８７】
センサ１７は、図１２に示すように、照明装置１の外部に露出するように設けられる。また、照明装置１内に設けられた場合であっても、照明装置１の点灯および消灯の制御信号等を受信可能な場合には、ケース２内部にセンサ１７を設けてもよい。
【００８８】
具体的には、センサ１７として、音声センサ、モーションセンサまたはリモコン受光部等を用いることができる。
【００８９】
音声センサは、音声認識回路を備え、ユーザが発した音声を認識して照明装置１の点灯または消灯を指示する所定の音声を発していることを検知するものである。例えば、音声センサは、ユーザの「オン」という音声を認識した場合には、二次電池７ａによるＬＥＤ５の点灯を指示されたと判断し、「オフ」という音声を認識した場合には、二次電池７ａによるＬＥＤ５の消灯を指示されたと判断する。音声センサとしては、マイクロフォン等を用いることができる。
【００９０】
また、音声センサによってユーザが発した音声を認識し、音声の検出がなくなってから一定時間が経過したと制御部１６が判断した際に、ＬＥＤ５を消灯させるようにしてもよい。この際、音声センサはユーザの「オン」「オフ」という具体的な音声を検出しないようにしてもよい。また、ユーザの「オン」という音声を検知して、ＬＥＤ５を点灯させた後、一定時間経過後にＬＥＤ５を消灯させる構成としても良い。
【００９１】
モーションセンサは、人の動きを検出するものである。モーションセンサにおいて人が動いていることを検出した場合には、制御部１６がＬＥＤ５を点灯するように制御し、人が動いていることを検出できない場合には、一定時間経過後に制御部１６がＬＥＤ５を消灯するように制御する。モーションセンサとしては、赤外線センサ、磁気センサ等を用いることができる。
【００９２】
リモコン受光部は、ユーザが操作したリモートコントローラ（以下、リモコンと適宜称する）からの信号を受信するものである。リモコン受光部においてリモコンからＬＥＤ５を点灯させる信号を受信した場合には、制御部１６がＬＥＤ５を点灯するように制御する。また、リモコン受光部においてリモコンからＬＥＤ５を消灯させる信号を受信した場合には、一定時間経過後に制御部１６がＬＥＤ５を消灯するように制御する。リモコン受光部としては、例えば赤外線受信部もしくは無線受信部等を用いることができる。リモコン受光部が赤外線受信部である場合には、ユーザが操作するリモコンが赤外線送信部を備え、リモコン受光部が無線受信部である場合にはリモコンが無線送信部を備える。
【００９３】
制御部１６は、センサ１７での検出結果もしくは制御信号の受信結果に応じて、ＬＥＤ５を点灯もしくは消灯させることを判断する。制御部１６は、ＬＥＤ５を点灯させることを判断した場合には、充放電制御回路１５に対して放電を開始する制御信号を送信する。また、制御部１６は、ＬＥＤ５を消灯させることを判断した場合には、充放電制御回路１５に対して充放電を停止する制御信号を送信する。なお、商用電源３１からの電力供給が停止している場合には、二次電池７ａの充電動作を行うことができない。
【００９４】
（２−２）照明装置の動作フロー
以下、第２の実施の形態の照明装置１における動作フローを説明する。
【００９５】
（２−２−１）第１の動作フロー
第２の実施の形態の第１の動作フローとして、商用電源３１からの電力供給停止時に、ＬＥＤ５の点灯を自動的に継続するモードの一例について説明する。
【００９６】
図１４に、第２の実施の形態の照明装置１における第１の動作フローを示す。まず、ステップＳ２１において、商用電源から供給された電力によりＬＥＤ５が点灯している。次に、ステップＳ２２において、制御部１６で商用電源３１からの電力供給の有無を判断し、商用電源３１からの電力供給があると判断された場合には、ステップＳ２２を繰り返す。ステップＳ２２において商用電源３１からの電力供給がないと判断された場合には、処理がステップＳ２３に移る。
【００９７】
ステップＳ２３では、スイッチ１３および充放電制御回路１５を制御して、組電池７によってＬＥＤ５に電力供給を開始する。これにより、ステップＳ２４のように、ＬＥＤ５の点灯が継続される。
【００９８】
続いて、ステップＳ２５において、ＬＥＤ５を消灯させるか否かが判断される。消灯の判断は、センサ１７が、例えばユーザの「オフ」という音声を認識した場合、モーションセンサが一定時間人の存在を検出しなかった場合、またはＬＥＤ５を消灯させるリモコン制御信号を検知した場合になされる。
【００９９】
ステップＳ２５において、ＬＥＤ５を消灯させると判断された場合には、処理がステップＳ２６に移る。ステップＳ２６では、ＬＥＤ５を消灯させて処理が終了する。
【０１００】
ステップＳ２５において、ＬＥＤ５を消灯させないと判断された場合には、処理がステップＳ２４に戻って二次電池７ａによるＬＥＤ５の点灯を継続する。
【０１０１】
なお、ＬＥＤ５の消灯後においても、音声センサ、モーションセンサ等によるユーザの指示の検出もしくはユーザの存在の検出、またはリモコンによるユーザの制御に応じて、ＬＥＤ５の点灯、消灯を制御することができる。
【０１０２】
（２−２−２）第２の動作フロー
第２の実施の形態の第２の動作フローとして、商用電源３１からの電力供給停止時に、ＬＥＤ５の点灯を自動的に継続するモードの他の例について説明する。第２の実施の形態の第２の動作フローは、センサ１７として例えばモーションセンサを用いた場合や、人感センサとして音声センサを用いた場合に好適である。
【０１０３】
図１５に、第２の実施の形態の照明装置１における第２の動作フローを示す。第２の実施の形態の第２の動作フローでは、ステップＳ３１〜ステップＳ３７は、図１１の第１の実施の形態の第２の動作フローにおけるステップＳ１１〜ステップＳ１７と同様であるため説明を省略する。
【０１０４】
第２の実施の形態の第２の動作フローでは、ステップＳ３６において一定時間が経過したか否かが判断される。ステップＳ３６において、一定時間が経過したと判断された場合には、処理がステップＳ３７に移る。ステップＳ３７では、ＬＥＤ５を消灯させて処理が終了する。
【０１０５】
ステップＳ３６において、一定時間が経過していないと判断された場合には、処理がステップＳ３８に移る。ステップＳ３８では、ＬＥＤ５を消灯させるか否かが判断される。消灯の判断は、センサ１７が、例えばユーザの「オフ」という音声を認識した場合、モーションセンサが一定時間人の存在を検出しなかった場合、またはＬＥＤ５を消灯させるリモコン制御信号を検知した場合になされる。
【０１０６】
ステップＳ３８において、ＬＥＤ５を消灯させると判断された場合には、処理がステップＳ３７に移り、ステップＳ３７でＬＥＤ５を消灯させて処理が終了する。
【０１０７】
ステップＳ３８において、ＬＥＤ５を消灯させないと判断された場合には、処理がステップＳ３５に戻って二次電池７ａによるＬＥＤ５の点灯を継続する。
【０１０８】
これにより、商用電源３１からの電力供給が停止後ＬＥＤ５を点灯させ、商用電源３１からの電力供給停止後一定時間経過した場合にＬＥＤ５を消灯させることができる。そして、電力供給停止後一定時間経過前であっても、ユーザの指示等よってＬＥＤ５を消灯させることができる。
【０１０９】
（２−２−３）第３の動作フロー
第２の実施の形態の第３の動作フローとして、商用電源３１からの電力供給停止時に一旦ＬＥＤ５を消灯させるとともに、組電池７の放電を待機状態とし、ユーザの制御を待つモードについて説明する。
【０１１０】
図１６に、第２の実施の形態の照明装置１における第３の動作フローを示す。ステップＳ４１において、商用電源から供給された電力によりＬＥＤ５が点灯している。次に、ステップＳ４２において、制御部１６が、商用電源３１からの電力供給の有無を判断する。ステップＳ４２において商用電源３１からの電力供給があると判断された場合には、ステップＳ４２を繰り返す。ステップＳ４２において商用電源３１からの電力供給がないと判断された場合には、処理がステップＳ４３に移る。
【０１１１】
ステップＳ４３では、商用電源３１からの電力供給がないため、ＬＥＤ５を消灯する。続いてステップＳ４４において、照明装置１の各部に対する電源が組電池７から供給され、照明装置１が動作待機状態とされる。
【０１１２】
続いて、ステップＳ４５において、制御部１６がスイッチ１４を制御し、組電池７からＬＥＤ５に対する電力供給を可能な回路構成に切替える。これにより、ユーザからＬＥＤ５を点灯させるための制御信号を受信したり、音声を検知した場合に、充放電制御回路１５に対して放電させるための制御信号を送信することで、組電池７からＬＥＤ５に対する電力供給を開始することが可能となる。
【０１１３】
ステップＳ４６において、ユーザからＬＥＤ５を点灯させるための制御信号の受信や音声の検知がない場合には、ステップＳ４６の処理を繰り返す。ステップＳ４６において、ユーザからＬＥＤ５を点灯させるための制御信号を受信したり、音声を検知した場合には、処理がステップＳ４７に移り、ステップＳ４７でＬＥＤ５を点灯させる。
【０１１４】
ステップＳ４８において、ユーザからＬＥＤ５を消灯させるための制御信号の受信や音声の検知がない場合には、ステップＳ４８の処理を繰り返す。ステップＳ４８において、ユーザからＬＥＤ５を消灯させるための制御信号を受信したり、音声を検知した場合には、処理がステップＳ４９に移り、ステップＳ４９でＬＥＤ５を消灯させ、処理が終了する。
【０１１５】
＜効果＞
以上のように、第２の実施の形態の照明装置１では、商用電源３１からの電力供給が停止した場合に、自動的に二次電池７ａによってＬＥＤ５を点灯させることができる。また、商用電源３１からの電力供給停止後においても、組電池７によるＬＥＤ５の点灯と、ＬＥＤ５の消灯とを、ユーザの操作によって制御することができる。これにより、例えば停電した時に、停電が継続している間もＬＥＤ５を点灯させて避難通路の確保等を行うことができる。また、緊急時以外の場合や、ＬＥＤ５の点灯が不要な場合には、ユーザの操作によってＬＥＤ５を消灯させることもできる。
【０１１６】
以上、本開示の一実施形態について具体的に説明したが、本開示は、上述の実施形態に限定されるものではなく、本開示の技術的思想に基づく各種の変形が可能である。
【０１１７】
例えば、回路構成は一例であり、第１の実施の形態および第２の実施の形態で説明した動作フローを実現できる構成あれば、記載の回路構成に限られない。
【０１１８】
なお、本開示は、次のような構成とすることもできる。
【０１１９】
［１］
電力が供給される接続部と、
上記接続部から供給された電力を変換する変換回路と、
筒状のケースと、
上記ケースを径方向で分割する支持体と、
上記支持体の一面に設けられた複数の発光ダイオードと、
上記発光ダイオードを駆動する駆動回路と、
上記支持体の他の面に設けられた二次電池と、
上記二次電池の充放電制御回路と、
供給された電力によって上記発光ダイオードを点灯させ、上記二次電池を充電し、電力供給が停止した状態で、上記二次電池の放電による該発光ダイオードの点灯を可能とする制御部と
を備える照明装置。
［２］
上記支持体の他の面と対向する上記ケースの一部に開口が設けられる
［１］に記載の照明装置。
［３］
上記支持体が、上記ケースの内壁面に突出して設けられたリブによって固定される
［１］または［２］に記載の照明装置。
［４］
上記ケースが樹脂材料からなる
［１］〜［３］に記載の照明装置。
［５］
上記ケースの内壁面と、上記二次電池の外周面とが接触するように配置される
［１］〜［４］に記載の照明装置。
［６］
円筒形状を有する上記ケースの内壁面と、円筒形電池からなる上記二次電池の外周面とが接触する
［５］に記載の照明装置。
［７］
上記支持体が、
板状の主面部と、
上記主面部の長手方向に沿って該主面部と略垂直にそれぞれ設けられた側面部と
を備え、
上記側面部が上記ケースの内壁面と接触する
［１］〜［６］に記載の照明装置。
［８］
上記支持体が金属材料からなる
［１］〜［７］に記載の照明装置。
［９］
上記支持体と上記発光ダイオードとの間に拡散体を備える
［１］〜［８］の照明装置。
［１０］
上記制御部がタイマー回路を備え、電力供給が停止した場合における上記二次電池からの上記発光ダイオードに対する放電を、予め設定した一定時間後に停止させる
［１］〜［９］に記載の照明装置。
［１１］
上記制御部と通信可能な音声センサを有し、
上記制御部が、
上記音声センサが所定の音声を認識した場合に、認識した該所定の音声に応じて、上記発光ダイオードを点灯または消灯させる
［１］〜［１０］に記載の照明装置。
［１２］
上記制御部と通信可能なモーションセンサを有し、
上記制御部が、
上記モーションセンサが人の動きを検知している場合に、上記発光ダイオードを点灯状態とする
［１］〜［１０］に記載の照明装置。
［１３］
上記制御部と通信可能なリモコン受光部を有し、
上記制御部が、
上記リモコン受光部が受信した制御信号に応じて、上記発光ダイオードを点灯または消灯させる
［１］〜［１０］に記載の照明装置。
【符号の説明】
【０１２０】
１・・・照明装置
２・・・ケース
２ａ・・・開口
２ｂ・・・リブ
３・・・支持体
３ａ・・・主面部
３ｂ・・・側面部
４・・・ＬＥＤ基板
５・・・ＬＥＤ
６・・・回路基板
７・・・組電池
７ａ・・・二次電池
８・・・接続部
９・・・支持部
１０・・・拡散体
１０ａ・・・底面部
１０ｂ・・・側面部
１１・・・ＡＣ／ＤＣコンバータ
１２・・・ＤＣ／ＤＣコンバータ
１３，１４・・・スイッチ
１５・・・充放電制御回路
１６・・・制御部
１７・・・センサ
２１・・・ＬＥＤ駆動回路
２２・・・定電流回路
３１・・・商用電源
３２・・・壁スイッチ
３３・・・接続部
【図１】
2013101785.tif 000003
【図２】
2013101785.tif 000004
【図３】
2013101785.tif 000005
【図４】
2013101785.tif 000006
【図５】
2013101785.tif 000007
【図６】
2013101785.tif 000008
【図７】
2013101785.tif 000009
【図８】
2013101785.tif 000010
【図９】
2013101785.tif 000011
【図１０】
2013101785.tif 000012
【図１１】
2013101785.tif 000013
【図１２】
2013101785.tif 000014
【図１３】
2013101785.tif 000015
【図１４】
2013101785.tif 000016
【図１５】
2013101785.tif 000017
【図１６】
2013101785.tif 000018